(57)【要約】【課題】本発明は、排水桝にゴミが到達する前に、排水溝の段階で、大きなゴミを下流側に流れないように遮るとともに、小さなゴミを収集することができ、ゴミを収集した後の清掃も簡易な排水溝のゴミ収集排除装置を提供することを課題とする。【解決手段】排水溝のゴミ収集排除装置１は、排水溝１０１の上流側から下流側に、第１のゴミ排除部材２と、ゴミ収集部材３と、第２のゴミ排除部材４とを順に配置して構成され、第１のゴミ排除部材２は、柵体２３の空隙Ｓ１より大きなゴミを遮ることでゴミを排除し、ゴミ収集部材３は第１のゴミ排除部材２を通過した細かいゴミを、メッシュ状の面状体３１ａを巻回してなる巻き体３１が水の流れで回転することにより収集し、第２のゴミ排除部材４は、第１のゴミ収集部２で収集することができなかったゴミのうち柵体４３の空隙Ｓ２より大きなものを遮ることでゴミを排除するものとなっている。【選択図】図２
2020109236.tif 000002
【特許請求の範囲】
【請求項１】
地表を流れる水を集めて排水桝に送る断面がＵ字状の排水溝に配置される排水溝のゴミ収集排除装置であって、
前記排水溝の上流側から下流側に、第１のゴミ排除部材と、ゴミ収集部材と、第２のゴミ排除部材とを順に配置して構成され、
前記第１のゴミ排除部材は、複数の空隙を有する柵体を有し、当該柵体が前記排水溝を横断するかたちで固定されて、前記空隙より大きなゴミを遮り、
前記ゴミ収集部材は、前記第１のゴミ排除部材の空隙よりも目の細かいメッシュ状の面状体を巻回して成り、内部に空間を有する巻き体を有し、当該巻き体が前記排水溝を横断するかたちで配置されて、前記排水溝を流れる水で回転することによりゴミを収集すると共に、
前記第２のゴミ排除部材は、複数の空隙を有する柵体を有し、当該柵体が前記排水溝を横断するかたちで固定されて、前記空隙より大きなゴミを遮ることを特徴とする排水溝のゴミ収集排除装置。
【請求項２】
前記第１のゴミ排除部材と前記第２のゴミ排除部材との間に、前記ゴミ収集部材の上方を、前記ゴミ収集部材が回転可能な状態で覆うことが可能な蓋体を有し、
前記蓋体は、前記第１のゴミ排除部材又は前記第２のゴミ排除部材の一方に配置された回転軸を軸心として回転可能になっていることを特徴とする請求項１に記載の排水溝のゴミ収集排除装置。
【請求項３】
前記第１のゴミ排除部材と前記第２のゴミ排除部材とが連接部材で連接されて一体化し、
前記ゴミ収集部材が前記第１のゴミ排除部材と前記第２のゴミ排除部材と前記連接部材とで囲まれていることを特徴とする請求項１又は請求項２に記載の排水溝のゴミ収集排除装置。
【発明の詳細な説明】
【技術分野】
【０００１】
本発明は、例えば発電所、変電所等の電力施設の敷地内に、排水ポンプを備えた排水桝を設けると共に、この排水桝に雨水等の水を送るための断面がＵ字状の排水溝を設けるにあたって、ゴミが排水溝を流れる段階でゴミを収集、排除することができ、ゴミを収集した後の清掃も簡易にした装置に関する。
【背景技術】
【０００２】
雨水等の水で、発電所、変電所等の電力施設が浸水することにより、電力施設の機器の故障等の不具合を生ずるおそれがある。このため、電力施設の敷地には、排水ポンプを備えた排水枡が設けられ、更に、この排水桝に雨水を送るために、断面がＵ字状の排水溝が併設される場合がある。
【０００３】
このように、排水桝に断面がＵ字状の排水溝が併設されている構造では、特許文献１に示されるように、雨水は、地表から、断面がＵ字状の排水溝を経て、排水桝に至るという経路で集水され処理される。すなわち、断面がＵ字状の排水溝は、もっぱら地表を流れる水を集めて排水桝に送るという機能を有している。
【先行技術文献】
【特許文献】
【０００４】
【特許文献１】実開平２−１５９６１号公報
【発明の概要】
【発明が解決しようとする課題】
【０００５】
しかしながら、排水溝が地表を流れる水を排水桝に送るという機能を有すると、排水溝は、当該排水溝の周囲の環境による影響を受けやすい。例えば、排水溝の周囲に樹木が植えられていると、樹木からの落葉や落下した木枝（これらの腐食物も含む。以下、同じ。）等の地表にあったゴミが雨水と一緒に排水溝に流れ込んだ後、この排水溝内を更に流れて、排水枡内に到達してしまい、かかるゴミが排水桝に設置された排水ポンプを詰まらせるという不具合を生ずる場合がある。このような排水ポンプのゴミ詰りを放置すると、台風で大雨が降ったとき等に、排水ポンプが作動せずに、発電所、変電所等の電力施設が浸水するおそれがあった。
【０００６】
このため、電力施設の敷地内の巡視等で排水桝内のゴミを発見した場合には、排水ポンプを詰まらせないように、複数の作業員により排水桝内からゴミを収集して排除する作業を行っていたが、ゴミの収集、排除が手作業となるため複数の作業員でも長時間の作業を要していた。
【０００７】
そこで、本発明は、排水桝にゴミが到達する前に、排水溝の段階で、大きなゴミを下流側に流れないように遮るとともに、小さなゴミを収集することができ、ゴミを収集した後の清掃も簡易な排水溝のゴミ収集排除装置を提供することを主たる課題としている。
【課題を解決するための手段】
【０００８】
上記課題を達成するために、本発明に係る排水溝のゴミ収集排除装置は、地表を流れる水を集めて排水桝に送る断面がＵ字状の排水溝に配置される排水溝のゴミ収集排除装置であって、前記排水溝の上流側から下流側に、第１のゴミ排除部材と、ゴミ収集部材と、第２のゴミ排除部材とを順に配置して構成され、前記第１のゴミ排除部材は、複数の空隙を有する柵体を有し、当該柵体が前記排水溝を横断するかたちで固定されて、前記空隙より大きなゴミを遮り、前記ゴミ収集部材は、前記第１のゴミ排除部材の空隙よりも目の細かいメッシュ状の面状体を巻回して成り、内部に空間を有する巻き体を有し、当該巻き体が前記排水溝を横断するかたちで配置されて、前記排水溝を流れる水で回転することによりゴミを収集すると共に、前記第２のゴミ排除部材は、複数の空隙を有する柵体を有し、当該柵体が前記排水溝を横断するかたちで固定されて、前記空隙より大きなゴミを遮ることを特徴としている（請求項１）。地表を流れる水は例えば雨水か雪解け水である。排水溝は、特に排水ポンプを備えた排水桝に、地表を流れる水を送るためのものとすることができる。ゴミ収集部材は、メッシュ状の面状体を複数回にわたった巻回した巻き体とするのが望ましい。
【０００９】
これにより、樹木からの落葉や落下した木枝等の地表にあったゴミのうち比較的大きなゴミは、第１のゴミ排除部材で遮られて、排水溝を第１のゴミ収集用部材よりも下流側に流れるのを排除される。
そして、第１のゴミ排除部材の空隙を通過した落ち葉の一部や落下した木枝等の比較的小さなゴミは、排水溝を流れる水で回転するゴミ収集部材で収集される。すなわち、排水溝を水が流れたときにゴミ収集部材が排水溝内を浮いた状態で回転することにより、水面近くを浮きつつ流れる比較的小さなゴミは、水流の力でメッシュの空隙を通過してゴミ収集部材の内部空間に入るかたちで捕獲され、ゴミ収集部材の内部空間に入って捕獲された後は、メッシュ状の面状体が妨げとなってゴミ収集部材の外に出ないので、ゴミ収集部材で収集される。
更に、第１のゴミ排除部材で取り逃したり、第１のゴミ排除部材よりも下流側で、水と一緒に排水溝に流入し或いは直接に落下したりした比較的大きなゴミは、第２のゴミ排除部材で遮られて、排水溝を第２のゴミ排除部材よりも下流側に流れるのを排除される。
よって、樹木からの落葉や落下した木枝等の地表にあったゴミのうち比較的大きなゴミが排水桝内に流れるのを排除し、且つ樹木からの落葉や落下した木枝等の地表にあったゴミのうち比較的小さなゴミを排水桝内に流れる前に収集することが可能である。
また、ゴミ収集部材を排水溝から取り出して水洗いするだけで樹木からの落葉や落下した木枝等の地表にあったゴミのうち比較的小さなゴミをゴミ収集部材から取り除くことができるので、ゴミ収集部材の清掃も簡易且つ短時間で行うことが可能である。
【００１０】
請求項２の発明に係る排水溝のゴミ収集排除装置は、前記第１のゴミ排除部材と前記第２のゴミ排除部材との間に、前記ゴミ収集部材の上方を、前記ゴミ収集部材が回転可能な状態で覆うことが可能な蓋体を有し、前記蓋体は、前記第１のゴミ排除部材又は前記第２のゴミ排除部材の一方に配置された回転軸を軸心として回転可能になっていることを特徴としている。
【００１１】
これにより、ゴミ収集部材のゴミ収集機能を損なうことなく、排水溝の第１のゴミ排除部材よりも下流側で第２のゴミ収集用部材よりも上流側の流域に、樹木からの落葉や落下した木枝等の地表にあったゴミが直接に落下するのを防止することができる。
【００１２】
請求項３の発明に係る排水溝のゴミ収集排除装置は、前記第１のゴミ排除部材と前記第２のゴミ排除部材とが連接部材で連接されて一体化し、前記ゴミ収集部材が前記第１のゴミ排除部材と前記第２のゴミ排除部材と前記連接部材とで囲まれていることを特徴としている。
【００１３】
このように、排水溝のゴミ収集排除装置を１つのユニット化したことにより、排水溝のゴミ収集排除装置のユニットを排水溝内に設置した後、第１のゴミ排除部材と第２のゴミ排除部材とを溝構成部材に固定するだけでＵ字溝への設置作業が完了する。
【発明の効果】
【００１４】
以上に述べたように、本発明によれば、樹木からの落葉や落下した木枝等の地表にあったゴミのうち比較的大きなゴミについては、第１のゴミ排除部材で遮ることにより、排水溝を第１のゴミ収集用部材よりも下流側に流れるのを排除することができる。
そして、第１のゴミ排除部材の空隙を通過した落ち葉の一部や木枝の一部や細い小枝（これらの腐食物も含む。以下、同じ。）等の比較的小さなゴミについては、排水溝を流れる水で回転するゴミ収集部材で収集することができる。すなわち、排水溝を水が流れたときにゴミ収集部材が排水溝内を浮いた状態で回転することにより、水面近くを浮きつつ流れる比較的小さなゴミは、水流の力でメッシュの空隙を通過してゴミ収集部材の内部空間に入るかたちで捕獲され、ゴミ収集部材の内部空間に入って捕獲された後は、メッシュ状の面状体が妨げとなってゴミ収集部材の外に出ないので、ゴミ収集部材で収集することができる。
更に、第１のゴミ排除部材で取り逃したり、第１のゴミ排除部材よりも下流側で、水と一緒に排水溝に流入し或いは直接に落下したりした比較的大きなゴミは、第２のゴミ排除部材で遮ることにより、排水溝を第２のゴミ排除部材よりも下流側に流れるのを排除することができる。
よって、樹木からの落葉や落下した木枝等の地表にあったゴミのうち比較的大きなゴミが排水桝内に流れるのを排除し、且つ樹木からの落葉や落下した木枝等の地表にあったゴミのうち比較的小さなゴミを排水桝内に流れる前に収集することが可能である。
【００１５】
そして、本発明によれば、ゴミ収集部材を排水溝から取り出して水洗いするだけで樹木からの落葉や落下した木枝等の地表にあったゴミのうち比較的小さなゴミをゴミ収集部材から取り除くことができるので、ゴミ収集部材の清掃も簡易且つ短時間で行うことが可能である。
【００１６】
特に請求項２に記載の発明によれば、ゴミ収集部材のゴミ収集機能を損なうことなく、排水溝の第１のゴミ排除部材よりも下流側で第２のゴミ収集用部材よりも上流側の流域に、樹木からの落葉や落下した木枝等の地表にあったゴミが直接に落下するのを防止することができる。
【００１７】
特に請求項３に記載の発明によれば、排水溝のゴミ収集排除装置を１つのユニットにしたことにより、排水溝のゴミ収集排除装置のユニットを排水溝内に設置した後、第１のゴミ排除部材と第２のゴミ排除部材とを排水溝に固定するだけで設置作業を完了させることができる。
【図面の簡単な説明】
【００１８】
【図１】排水桝及びこの排水桝に水を送るＵ字状の排水溝の概略構成を示した断面図である。
【図２】Ｕ字状の排水溝にこの発明に係る排水溝のゴミ収集排除装置を配置した状態について一部を破断して示した斜視図である。
【図３】Ｕ字状の排水溝にこの発明に係る排水溝のゴミ収集排除装置を配置する工程の一例を示した斜視図である。
【図４】この発明に係る排水溝のゴミ収集排除装置を構成するゴミ収集部材の一部断面図である。
【図５】排水溝を流れる水の流れによりゴミ収集部材が浮いて回転する様子を示した説明図である。
【図６】実施例２として、ゴミ収集部材の上方を覆う蓋部材を示した説明図である。
【図７】実施例３として、第１のゴミ排除部材と第２のゴミ排除部材とを連接部材で連接してユニットにした状態を示す斜視図である。
【発明を実施するための形態】
【００１９】
以下、本発明の実施形態を図面に基づき説明する。
【実施例１】
【００２０】
図１において、この発明に係るゴミ収集排除装置１が適用された状態の排水溝１００、１０１の構成の一例、及びこの排水溝１００、１０１を流れてきた水が到達する排水桝２００の概略構成の一例が示されている。
【００２１】
図１に示される排水桝２００は、コンクリート製の側壁２０１と、コンクリート製の底壁２０２とで囲まれたかたちで、地中に配置されているもので、底壁２０２にコンクリート製の凹部２０３が設けられて、この凹部２０３内に排水ポンプＰが設置されている。これにより、排水ポンプＰが作動すると、白抜き矢印に示されるように、排水桝２００内の水を吸入して、矢印に示されるように、例えば下水路等の外部に排出する。そして、この実施例では、図１に示されるように、排水桝２００の上方に開口した開口部を蓋部材２０４により閉塞している。巡視等のために、蓋部材２０４を外して、排水桝２００の開口部が開放された状態とすることが可能である。
【００２２】
排水溝１００、１０１は、地面に線状の穴を掘って、この有孔にコンクリート製のＵ字状ブロックＢを設置することで構成されている。排水溝１００は、発電所、変電所等の電力施設の敷地の所定の箇所に巡らされているもので、Ｕ字状ブロックＢを用いることにより、上方が開放された断面Ｕ字状となっている。これにより、排水溝１００は、発電所、変電所等の電力施設の敷地に降った雨水や雪解け水が地表を流れる水となる場合に、かかる地表を流れる水が流れ込むようになっている。排水溝１０１は、排水溝１００と排水桝２００とを繋ぐものであり、この実施例では、排水溝１００とＴ字状に連接している。排水溝１０１も、Ｕ字状ブロックＢを用いることにより、上方が開放された断面Ｕ字状となっている。
【００２３】
この実施例では、ゴミ収集排除装置１は、排水溝１００、１０１のうち排水溝１０１に配置されている。このゴミ収集排除装置１は、図１、図２及び図５に示されるように、排水溝１００側（排水溝１０１の上流側）から排水桝２００側（排水溝１０１の下流側）にかけて、第１のゴミ排除部材２、ゴミ収集部材３、第２のゴミ排除部材４の順にて配置されている。もっとも、図示しないが、上記のゴミ収集排除装置１を排水溝１０１に配置する代わりに、ゴミ収集排除装置１を排水溝１００のうち排水溝１０１の上流近傍となる部位に配置しても良い。
【００２４】
第１のゴミ排除部材２は、この実施例では、細長い直方体状の基台２１と、基台２１の下面から排水溝１０１の底面に向かって延設された柵体２３とを有して構成されている。これらの基台２１、柵体２３は、アルミニウムやステンレス鋼等の耐食性に優れた素材により形成されている。
【００２５】
基台２１の長手方向寸法は、排水溝１０１を形成するＵ字状ブロックＢの両側の側縁上面に当接することを可能とするため、図２に示されるように、排水溝１０１の内面間の横幅Ｌ２よりも長くなっている。基台２１のＵ字状ブロックＢの両側の側縁上面に当接する各部位には、下記するアンカーボルト等の固定具７を捩じ込むことが可能な貫通孔２２が形成されている。貫通孔２２は、基台２１の製造時に既に基台２１に形成されていても、作業現場等でドリルその他の孔開け工具により穿たれたものであっても良い。
【００２６】
柵体２３は、この実施例では、複数の縦棒部位２４と、この縦棒部位２４と交差する横棒部位２５とで格子状に構成されており、排水溝１０１の一方の内面から他方の内面にかけて排水溝１０１を横断するかたちで設置されている。そして、柵体２３は、基台２１と１つの横棒部位２５と２つの縦棒部位２４、２４とで囲まれた複数の空隙Ｓ１と、２つの横棒部位２５、２５と２つの縦棒部位２４、２４とで囲まれた複数の空隙Ｓ１とを有している。これらの空隙Ｓ１は、樹木からの落葉や落下した木枝等の地表にあったゴミのうち比較的大きなゴミの通過を遮ることが可能な開口面積となっている。
【００２７】
柵体２３は、上記した開口面積の空隙Ｓ１を有するものであれば良い。すなわち、図示しないが、排水溝１０１の底面側に排水溝１００側に向かって延びる部位を有する断面Ｌ字状の構成としても、基台２１から排水溝１０１の底面側に向かって延びる板状部材に円状や多角形状の貫通孔を設けた構成としても良い。
【００２８】
そして、上記した柵体２３は、樹木からの落葉や落下した木枝等の地表にあったゴミのうち比較的大きなゴミを遮ることから、かかる比較的大きなゴミを一時的に堆積させる堆積用面Ｄを確保するために、排水溝１０１のうち排水溝１００直近ではなく、排水桝２００側に所定の寸法ほどずれて位置している。
【００２９】
ゴミ収集部材３は、この実施例では、例えばアルミニウム等の耐食性に優れた素材で形成された巻き体３１と、この巻き体３１の両側に着脱可能に取り付けられた、例えばアルミニウムやプラスチック等の耐食性に優れた素材で形成されたホルダ３２、３２とを有して構成されている。
【００３０】
巻き体３１は、第１のゴミ排除部材２の柵体２３の空隙Ｓ１よりも目の細かいメッシュ状の面状体３１ａを巻回して成り、円柱状の内部空間ＩＳを有したものとなっている。巻き体３１は、図４に示されるように、この実施例では一枚の面状体３１ａを三回ほど巻き回して三層になっている。もっとも、巻回して環状となった面状体３１ａを３枚重ねることで三層になるようにしても良い。面状体３１ａの層数も三層に限定されず、内部空間ＩＳを確保できるのであれば、二層でも四層以上であっても良い。そして、巻き体３１の径方向寸法Ｌ１やメッシュの目の大きさは、収集対象のゴミの大きさ等によって変更することができる。
【００３１】
このように面状体３１ａを多層になるように巻回することで、巻き体３１のメッシュの目が全体的に見てより細かくなり、排出ポンプＰの水の吸入時に一緒に吸入してゴミ詰りさせやすい細かなゴミを収集対象とすることができる。
【００３２】
ホルダ３２、３２は、巻き体３１が巻かれた状態から解けたり、巻き体３１の外周が円状をしているのを維持したりするために用いられる。この実施例ではホルダ３２の最も外周側に対峙するホルダ３２側に突出した環状突起３２ａと、ホルダ３２の環状突起３２ａに対して内周側にずれて配置された環状突起３２ｂとで、巻き体３１の軸方向両端部を保持している。もっとも、図示しないが、巻き体３１の軸方向両端部を紐状部材で縛る等した場合には、ホルダ３２を不要とすることができる。
【００３３】
第２のゴミ排除部材４は、この実施例では、第１のゴミ排除部材２と同様に、細長い直方体状の基台４１と、基台４１の下面から排水溝１０１の底面に向かって延設された柵体４３とを有して構成されている。これらの基台４１、柵体４３は、アルミニウムやステンレス鋼等の耐食性に優れた素材により形成されている。
【００３４】
基台４１の長手方向寸法は、第１のゴミ排除部材２の基台２１と同じである。すなわち、基台４１の長手方向寸法は、図２に示されるように、排水溝１０１の内面間の横幅Ｌ２よりも長くなっている。これにより、基台４１も、排水溝１０１を形成するＵ字状ブロックＢの両側の側縁上面に当接することを可能としている。基台４１のＵ字状ブロックＢの両側の側縁上面に当接する各部位には、下記するアンカーボルト等の固定具７を捩じ込むことが可能な貫通孔４２が形成されている。貫通孔４２は、基台４１の製造時に既に基台４１に形成されていても、作業現場等でドリルその他の孔開け工具により穿たれたものであっても良い。
【００３５】
柵体４３は、この実施例では、複数の縦棒部位４４と、この縦棒部位４４と交差する横棒部位４５とで格子状に構成されており、排水溝１０１の一方の内面から他方の内面にかけて排水溝１０１を横断するかたちで設置されている。そして、柵体４３は、基台４１と１つの横棒部位４５と２つの縦棒部位４４、４４とで囲まれた複数の空隙Ｓ２と、２つの横棒部位４５、４５と２つの縦棒部位４４、４４とで囲まれた複数の空隙Ｓ２とを有している。これらの空隙Ｓ２は、この実施例では、空隙Ｓ１の開口面積と同じになっている。これにより、空隙Ｓ２でも、樹木からの落葉や落下した木枝等の地表にあったゴミのうち比較的大きなゴミの通過を遮ることが可能である。もっとも、空隙Ｓ２の開口面積は、空隙Ｓ１で遮られるゴミよりも小さなゴミで且つゴミ収集部材３では収集することができないゴミの通過を遮るのに適したように、空隙１の開口面積よりも小さくしても良い。
【００３６】
柵体４３は、上記した開口面積の空隙Ｓ２を有するものであれば良く、更には、柵体２３とは別の構成としても良い。すなわち、図示しないが、柵体２３は図２や図３に示された構成のままとして、柵体４３について、基台４１から排水溝１０１の底面側に向かって延びる板状部材に円状や多角形状の貫通孔を設けた構成としても良い。柵体４３は、ゴミ収集部材３が排水桝２００まで押し流されるのを防止する機能も有している。
【００３７】
上記第1のゴミ排除部材２、ゴミ収集部材３、第２のゴミ排除部材４の排水溝１０１への配置の工程の一例について、図３を用いて説明する。
【００３８】
まず、排水溝１０１を形成するＵ字状ブロックＢの側縁上面の所定の４箇所にドリル等の孔開け工具で孔５、６を穿つ。この場合、孔５、５は、堆積用面Ｄを確保するために、排水溝１０１の排水溝１００側端から所定の寸法ほどずれて穿たれ、かつＵ字状ブロックＢの側縁上面に基台２１を載せた状態の貫通孔２２、２２と一致するように配置されている。また、孔６、６は、ゴミ収集部材３の回転可能な状態で排水溝１０１への収容可能な寸法Ｌ３（柵体２３、４３間の寸法。図２に示す。）を確保するために、孔５，５から所定の寸法（寸法Ｌ１より大きい。）ほどずれて穿たれ、かつＵ字状ブロックＢの側縁上面に基台４１を載せた状態の貫通孔４２、４２と連通するように配置されたものとする。この孔５、孔６間の寸法Ｌ３は、ゴミ収集部材３の径方向寸法Ｌ１が変わればこれに応じて変更される。
【００３９】
次に、第１のゴミ排除部材２を基台２１の貫通孔２２、２２が孔５、５と連通するように、Ｕ字状ブロックＢの側縁上面に載せた後、固定具７を、貫通孔２２から孔５内まで捩じ込む等の手法により装着する。そして、第２のゴミ排除部材４を基台４１の貫通孔４２、４２が孔６、６と連通するように、Ｕ字状ブロックＢの側縁上面に載せた後、固定具７を、貫通孔４２から孔６内まで捩じ込む等の手法により装着する。固定具７は、コンクリート製のＵ字状ブロックに基台２１、４１を固定するので、例えばアンカーボルトを用いるのが望ましい。
【００４０】
そして、ゴミ収集部材３を第１のゴミ排除部材２の柵体２３と第２のゴミ排除部材４の柵体４３との間となるように、排水溝１０１内に収める。ゴミ収集部材３は、この実施例では、排水溝１０１のＵ字状ブロックＢにも柵体２３、４３にも固定されない。
【００４１】
上記のような第１のゴミ排除部材２、ゴミ収集部材３及び第２のゴミ排除部材４からなるゴミ収集排除装置１について、排水溝１０１内を台風等の大雨で相対的に多量の水が流れる場合における、排水溝１０１を流れる樹木からの落葉や落下した木枝等の地表にあったゴミの排除、収集の機能を、図５に基づいて説明する。
【００４２】
まず、排水溝１０１を流れる樹木からの落葉や落下した木枝等の地表にあったゴミのうち相対的に大きなゴミ（以下、大きなゴミ）は、第１のゴミ排除部材２の柵体２３の空隙Ｓ１を通過することができないので、柵体２３により遮られ、堆積用面Ｄ上に一時的に堆積する。
【００４３】
ゴミ収集部材３は、排水溝１０１内を排水桝２００側に向かって流れる水の流れによって、図５に示されるように、排水溝１０１の底面から水面側に浮いた状態となりつつ、例えば水の流れが図５の左側から右側となる場合には、水の流れる方向に応じて反時計回りに回転する。これにより、排水溝１０１を流れる樹木からの落葉や落下した木枝等の地表にあったゴミのうち比較的小さなゴミ（以下、小さなゴミ）は、水面近くを浮きつつ流れるところを、水流の力で巻き体３１のメッシュの空隙を通過して内部空間ＩＳに入るかたちで捕獲され、内部空間ＩＳに入って捕獲された後は、面状体３１ａが妨げとなってゴミ収集外に出ないので、ゴミ収集部材で収集される。
【００４４】
そして、第１のゴミ排除部材２で取り逃したり、第１のゴミ排除部材２よりも排水溝１０１の下流側で、水と一緒に排水溝１０１に流入し、或いは直接に排水溝１０１に落下したりした大きなゴミは、第２のゴミ排除部材４の柵体４３の空隙Ｓ２を通過することができないので、柵体４３により遮られる。このため、大きなゴミが、排水溝１０１を第２のゴミ排除部材４よりも下流側に流れるのを排除することができる。
【００４５】
よって、樹木からの落葉や落下した木枝等の地表にあったゴミのうち大きなゴミは、第1のゴミ排除部材２と第２のゴミ排除部材４とで２回にわたって排除され、樹木からの落葉や落下した木枝等の地表にあったゴミのうち小さなゴミは、ゴミ収集部材３により取集される。
【００４６】
更には、ゴミ収集部材３を排水溝１０１から取り出して水洗いするだけで、収集した小さなゴミをゴミ収集部材３から取り除くことができるので、ゴミ収集部材３の清掃も簡易且つ短時間で行うことが可能である
【実施例２】
【００４７】
図６において、この発明に係るゴミ収集排除装置１の実施例２が示されている。なお、実施例２のゴミ収集排除装置１は、蓋体８と、この蓋体８を回転させるための回転軸９と、この回転軸９を保持するための台座１０とを有している以外は、これまでのゴミ収集排除装置１と同様である。このため、ゴミ収集排除装置１の他の構成については、これまでと同一の符号を付す等して、その説明を省略した。
【００４８】
図６に示されるように、この実施例２では、基台２１の長手方向両端に台座１０が設けられると共に、台座１０、１０間に回転軸９が回転自在に架設されて、回転軸９に蓋体８の一端が連接している。これにより、蓋体８は、回転軸９を軸心として、回転軸９とは反対側端が基台４１に当接した状態から、例えば垂直に立った状態等の所定の位置までの範囲で回転することが可能となっている。従って、蓋体８は、ゴミ収集部材３の上方を覆った状態から、ゴミ収集部材３を排水溝１０１内に収容し、排水溝１０１から取り出し可能に、ゴミ収集部材３の上方が開放された状態まで変位することができる。
【００４９】
そして、蓋体８は、図６に示されるように、この実施例２では、中央部位８１が縁部位８２、８３よりも外側に突出した形状となっている。これにより、ゴミ収集部材３の上方を覆ったときに、排水溝１０１の底面から蓋体８の中央部位８１の内側面までの寸法が、蓋体８を全て平板状とした場合よりも大きくなっている。従って、排水溝１０１を水が流れてゴミ収集部材３が図６の２点鎖線に示すように浮いても、ゴミ収集部材３が蓋体８に当たらず、ゴミ収集部材３の回転が可能になる。
【００５０】
なお、図示しないが、図６に示された構成と逆になるように、基台４１の長手方向両端に台座１０が設けられると共に、台座１０、１０間に回転軸９が回転自在に架設されて、この回転軸９に蓋体８の一端が連接するようにしても良い。
【実施例３】
【００５１】
図７において、この発明に係るゴミ収集排除装置１の実施例３が示されている。なお、実施例３のゴミ収集排除装置１は、ゴミ排除部材２とゴミ排除部材４とを連接部材１１、１２、補強部材１３、１４で連接してユニットＵにした以外はこれまでのゴミ収集排除装置１と同様である。このため、ゴミ収集排除装置１の他の構成については、これまでと同一の符号を付す等して、その説明を省略した。
【００５２】
この実施例３では、第１のゴミ排除部材２の柵体２３の両端側の縦棒部位２４と第２のゴミ排除部材４の柵体４３の両端の縦棒部位４４とが複数の横棒状の連接部材１１により連接されている。また、第１のゴミ排除部材２の柵体２３の最下側の横棒部位２５と第２のゴミ排除部材４の柵体４３の最下側の横棒部位４５とが複数の横棒状の連接部材１２により連接されている。そして、連接部材１１と交差する複数の縦棒状の補強部材１３と、連接部材１２と交差する複数の縦棒状の補強部材１４も有し、補強部材１３と補強部材１４とが連接することで、上方に開口したボックス状のユニットＵになっている。これにより、ユニットＵ内にゴミ収集部材３を入れた状態で、第１のゴミ排除部材２と第２のゴミ排除部材４とを一度に排水溝１０１内に収めることができる。連接部材１１、１２は、図示しないが、一枚の板状の形状としても良く、この場合には、底部に一枚の板状部材が用いられるようにしても良い。
【００５３】
この実施例３では、ゴミ収集部材３の径方向寸法Ｌ１の変動への対応は、連接部材１１、１２の寸法を異ならせた複数のユニットＵを用意することで対応する。そして、この実施例３でも、ユニットＵの上方の開口を開閉可能にするために、実施例２に示される蓋体８を有するようにしても良い。
【符号の説明】
【００５４】
１  ゴミ収集排除装置
２  第１のゴミ排除部材
２３  柵体
３  ゴミ収集部材
３１  巻き体
３１ａ  面状体
４  第２のゴミ排除部材
４３  柵体
８  蓋体
９  回転軸
１１  連接部材
１２  連接部材
１００  排水溝
１０１  排水溝
２００  排水桝
Ｓ１  空隙
Ｓ２  空隙
Ｕ  ユニット
ＩＳ  内部空間
【図１】
2020109236.tif 000003
【図２】
2020109236.tif 000004
【図３】
2020109236.tif 000005
【図４】
2020109236.tif 000006
【図５】
2020109236.tif 000007
【図６】
2020109236.tif 000008
【図７】
2020109236.tif 000009